Podtech/llm-jp-corpus-v4-ja_patent huggingface dataset:
(57)【要約】【課題】消臭効果の効きが遅く且つ悪いか、直ぐになくなってしまう。【解決手段】ワサビ粉末造粒体２の外側に水溶性を有する材質から成る固化層３を形成し、該固化層３の外側にセラミックス粉末を付着させて形状保持層４を形成し、該形状保持層４の外側に吸湿剤を付着させて吸湿層５を形成した無数の消臭粉粒体１、１ａ…により、空気中の水分を吸湿層５で積極的に吸収した後、その水分の一部を吸湿層５から毛細管現象により序々に消臭粉粒体１、１ａ…の中心側に移行させ、最終的に固化層３を溶解させてワサビ粉末造粒体２に到達した水分により抽出成分が溶解し、水分の蒸散と共に抽出成分も蒸散して中和脱臭が行われる。【選択図】　　　　図１
2004033351.tif 000002
【特許請求の範囲】
【請求項１】
ワサビ粉末造粒体の外側に水溶性を有する固化層を形成し、該固化層の外側にセラミックス粉末を付着させて形状保持層を形成し、該形状保持層の外側に吸湿層を形成したことを特徴とする消臭粉粒体。
【発明の詳細な説明】
【０００１】
【発明の属する技術分野】
本発明は、トイレ、押入れ、冷蔵庫の様な湿気、臭気が立ち込め易い空間内に置く様にした消臭剤として使用する消臭粉粒体に関する。
【０００２】
【従来の技術】
従来、かかる消臭剤として、わさびが有する消臭・抗菌・防虫・抗黴性を利用したものが見受けられ、これは、わさび抽出成分を粉末にしてサイクロデキストリン等により粒状に固めた無数の消臭粉粒体を通気性を有する袋内に充填して製品化されている。そして、湿気でサイクロデキストリンを溶解させたり、最初に水に浸してサイクロデキストリンを部分的に溶解させて、露出したわさび抽出成分の粉末に湿気が接触することで、抽出成分が水分に溶解し水分の蒸散と共に抽出成分も蒸散させて、空気中の臭気成分と中和して消臭効果を挙げる様にしている。
【０００３】
【発明が解決しようとする課題】
しかし、上記消臭剤を前者の方法で使用する場合、各消臭粉粒体に接触した空気中の極微量な水分により抽出成分が蒸散するため、効きが非常に遅く且つ悪く、又後者の方法で使用する場合、必要以上に早く消臭効果が無くなってしまう等解決せねばならない課題があった。
【０００４】
【課題を解決するための手段】
本発明は、上記従来技術に基づく、消臭効果の効きが遅いか、直ぐになくなってしまう課題に鑑み、ワサビ粉末造粒体の外側に、例えばサイクロデキストリンの様な水溶性を有する材質から成る固化層を形成し、該固化層の外側に、例えばアルミナ粉末の様なセラミックス粉末を付着させて形状保持層を形成し、該形状保持層の外側に、例えば塩化カルシウム粉末、炭酸カルシウム粉末の様な吸湿剤を付着させて吸湿層を形成した無数の消臭粉粒体を使用することによって、空気中の水分を吸湿層で積極的に吸収した後、その水分の一部が吸湿層から毛細管現象により序々に消臭粉粒体の中心側に移行し、最終的に固化層を溶解させてワサビ粉末造粒体に到達した水分により成分が溶解し、水分の蒸散と共に抽出成分も蒸散させる様にして、上記課題を解決する。
【０００５】
【発明の実施の形態】
以下本発明の一実施例を図面に基づいて説明する。
本発明に係る吸湿性を有する消臭剤にあっては、無数の消臭粉粒体１、１ａ…により構成し、各消臭粉粒体１、１ａ…の中心に、ワサビの抽出成分を乾燥粉砕した粉末を粒状に固めたワサビ粉末造粒体２があり、該ワサビ粉末造粒体２の外側に、例えばサイクロデキストリンの様な水溶性を有する材質から成る固化層３を形成し、該固化層３の外側に、例えばアルミナ粉末の様なセラミックス粉末を付着させて形状保持層４を形成し、該形状保持層４の外側に、例えば塩化カルシウム粉末、炭酸カルシウム粉末の様な吸湿剤を付着させて吸湿層５を形成している。
【０００６】
上記消臭粉粒体１、１ａ…は、主に通気性を有するが透水性を有しない材質から成る密封袋６内に充填して利用するのが望ましい。その理由は、先ず水分吸収により吸湿層５がゲル状になり、更に進行すると消臭粉粒体１、１ａ…が崩れてバラバラになり、その状態になると非常に取り扱い難くなってしまうことにある。
【０００７】
次に本発明に係る消臭粉粒体の作用について説明する。
空気中の水分を吸湿層５で積極的に吸収した後、その水分の一部が吸湿層５から形状保持層４を毛細管現象により序々に消臭粉粒体１、１ａ…の中心側に移行し、最終的に固化層３を溶解させてワサビ粉末造粒体２に到達した水分によりワサビの抽出成分が序々に溶解し、水分の蒸散と共に抽出成分も序々に蒸散される。そして、蒸散されたワサビの抽出成分が有する、臭気の中和消臭効果、空間内の抗菌効果及び防虫・防黴効果により、快適空間にすることが可能になる。
【０００８】
【発明の効果】
要するに本発明は、ワサビ粉末造粒体２の外側に水溶性を有する固化層３を形成したので、そのままでは脆いワサビ粉末造粒体２の形状をある程度保持することか出来、固化層３は到達した水分により溶解してしまうため、水分を確実にワサビ粉末造粒体２まで到達させることか出来る。
又、固化層３の外側にセラミックス粉末を付着させて形状保持層４を形成したので、ワサビ粉末造粒体２の外側にある程度固い形状保持層４することで、消臭粉粒体１、１ａ…の形状をある程度保持することが出来、而も吸湿層５が吸収した水分を一気にワサビ粉末造粒体２に到達させずに、毛細管現象により少量毎に序々に到達させることが出来るため、必要以上の抽出成分を一気に蒸散させることを防止出来、抽出成分の無駄使いを無くすことが出来る。
又、形状保持層４の外側に吸湿層５を形成したので、消臭効果のために必要な水分を空気中から積極的に吸収することが出来るため、水に浸さなくても消臭効果を早く効かせることが出来る。
よって、上記効果が相俟って、ワサビの抽出成分を効率良く序々に蒸散させることが出来るため、長期間有効的に消臭効果等を維持することが出来、使用期間を飛躍的に長期化することか出来る等その実用的効果甚だ大である。
【図面の簡単な説明】
【図１】本発明に係る消臭粉粒体の拡大断面図である。
【図２】図１の消臭粉粒体を充填した密封袋の正面図である。
【符号の説明】
２　ワサビ粉末造粒体
３　固化層
４　形状保持層
５　吸湿層
【図１】
2004033351.tif 000003
【図２】
2004033351.tif 000004
(57)【要約】　　　（修正有）【課題】従来の傘は、シャフトが垂直であり身体が傘の中心部に位地することができなかったため、身体が傘の中心に位置することが望まれるが、単にシャフトをクランク状にする等シャフトに機能を付加し身体が傘の中心に位置することが実現したとしても、その分シャフトの直線距離が短くなる等実用性があるとは言えず、現にこのような機能を施している傘を使用している人を見かけることはない。本発明は、身体が傘の中心部に位地することのできる機能を実用的に構築することを課題とする。【解決手段】本発明は、課題を解決するために、シャフトを２重構造にしてスライド方式によりシャフトを伸縮可能にすることにより通常使用時においてはシャフトの回転部を外側のシャフトが保護し回転部からの折れ曲がりを防止すると同時に、シャフトを回転部から折り曲げてクランク状態にした使用時には、ノッチから最下端部までの距離を通常使用時と同じにすることとした。【選択図】図３
2004033352.tif 000002
【特許請求の範囲】
【請求項１】
傘のシャフトに回転部等が設けられシャフトをクランク状にして身体が傘の中心部に位地できる機能を有する傘において、シャフトを２重構造にしてスライド方式により伸縮を可能にする機能を付加することにより、傘の通常使用時においてはシャフトの回転部等を外側のシャフトが保護し回転部等からの折れ曲がりを防止すると同時に、シャフトをクランク状態にした使用時には、ノッチから最下端部までの距離を通常使用時と同じにすることのできることを特徴とする傘
【発明の詳細な説明】
【０００１】
【発明の属する技術分野】
本発明の技術は、一般的な日傘、雨傘に利用される
【０００２】
【従来の技術】
従来の一般的に使用されている傘では、身体が傘の中心部に位地することができず、またシャフトに回転部等を設けたり、シャフトの一部若しくは全部をフレキシブルパイプにしてシャフトを変動可能にしてシャフトをクランク状にし身体が傘の中心部に位地することの出来る機能を施した傘の場合には、シャフトをクランク状態にした場合において、シャフトのノッチから最下端部までの直線距離が短くなると共に、通常の傘の使用時においてシャフトが不安定となり、あるいは補強具を強いられることとなり本来の傘としての実用性を損なうこととなる。
【０００３】
【発明が解決しようとする課題】
従来の傘は、シャフトが垂直であり身体が傘の中心部に位地することができなかったため、身体が傘の中心に位置することが望まれるが、一般的に降雨をしのぐための道具としては、実用面から現状の傘の機能で十分といえると共に、外観ファッション性として定着しており、単にシャフトをクランク状にする等シャフトに機能を付加し身体が傘の中心に位置することが実現したとしても、その分シャフトの直線距離が短くなったり、機能を施した傘を使用している姿が外見的に奇異に感じられては実用性があるとは言えず、現にこのような機能を施している傘を使用している人を見かけることはない。
本発明は、従来の傘の基本機能を重視し、かつ必要時のみ身体が傘の中心部に位地することのできる機能を実用的に構築することを課題とする。
【０００４】
【課題を解決するための手段】
本発明は、課題を解決するために、従来の傘のデザイン性を損なわず、使用時において、必要時のみ簡易な操作で実用的に身体が傘の中心部に位地することのできる傘を実現するため、回転部等が設けられた傘のシャフトを２重構造にしてスライド方式によりシャフトを伸縮可能にすることにより通常使用時においてはシャフトの回転部を外側のシャフトが保護し回転部からの折れ曲がりを防止すると同時に、シャフトを回転部から折り曲げてクランク状態にした使用時には、ノッチから最下端部までの距離を通常使用時と同じにすることとした。
【０００５】
【発明の実施の形態】
実施の形態について、図面を参照して説明する。（図１）は、本発明になる傘を従来の用法によって使用した場合の断面図である。内側シャフト２には、回転部３−ａ、回転部３−ｂが設けられているが、スライド方式により外側シャフト１が被さっている。（図２）は、本発明の傘を、使用時に身体が傘の中心部に位地できるようにした場合の断面図である。この状態にするためには、（図１）の状態から、外側シャフト１を下方にスライドさせ、回転部３−ｂが露出する位地で固定し、回転部３−ａ、回転部３−ｂをそれぞれ９０度まで折り曲げる。回転部３−ａ、回転部３−ｂはそれぞれ９０度等任意の角度で固定できる機構であればよい。回転部３−ａ、回転部３−ｂが曲がる角度は必要に応じて調節できるようにすることも可能である。傘の開閉方法は、従来の用法通りであり、外観共に変化はない。
【０００６】
【実施形態の効果】
本発明による傘を使用することで、従来の傘の用法により使用する場合、回転部が固定され安定して使用することができ、しかも外観は通常の傘と変わらない。また、従来の用法により使用時、降雨が強くなった等の場合のみそのまま雨をしのぎながら簡易な操作で、シャフトをクランク状態にし、身体が傘の中心部に位地することができ、しかもシャフトの全長は通常使用時を変わらないので、使いやすく違和感を感じることはない。
【０００７】
【他の実施形態】
本発明の構造上、技術をそのまま折り畳み傘に用いることが可能である。
【０００８】
【発明の効果】
以上、説明したように本発明によれば、傘を通常の用法により使用することを基本とし、必要時のみ簡易に機能を実用的に変化させることができ、また簡易な技術により安価に量産することが可能となった。
【図面の簡単な説明】
【図１】この発明の傘を従来の用法によって使用している状態の断面図である。
【図２】この発明の傘の用法に従い、スライド方式のシャフトを引き伸ばした状態を示す断面図である。
【図３】
この傘の用法に従いシャフトをクランク状にした状態を示す断面図である。
【図１】
2004033352.tif 000003
【図２】
2004033352.tif 000004
【図３】
2004033352.tif 000005
(57)【要約】【課題】表面に立体形状を表すバンドを提供すること。【解決手段】表面母材１１がバンドの芯となる中芯材３の一部を覆う。裏面母材２１が、中芯材３の残りの分を覆う。表面母材１１と裏面母材２１のいずれか一方の表面に、文字や図形などの任意の立体的形状を形成した弾性母材１２、２２を設ける。【選択図】　　図２
2004033342.tif 000002
【特許請求の範囲】
【請求項１】
バンドの芯となる中芯材と、
前記中芯材の一部を覆う表面母材と、
前記中芯材の残りの分を覆う裏面母材と、
前記表面母材と前記裏面母材のいずれか一方の表面に任意の立体的形状を有する弾性母材と、
を有するバンド。
【請求項２】
前記弾性母材は、シリコン、ポリウレタン樹脂及び合成ゴムのいずれか１である請求項１記載のバンド。
【請求項３】
前記表面母材及び前記裏面母材は、天然皮革、合成皮革、不繊布、布地のいずれか１つである請求項１又は２記載のバンド。
【請求項４】
ガラスと、
前記ガラスを取付けた胴と、
前記胴に取り付けた前記１乃至３のいずれか１つに記載のバンドと、
を有する時計。
【発明の詳細な説明】
【０００１】
【発明の属する技術分野】
バンド及び時計に関するものである。
【０００２】
【従来の技術】
従来のバンドは、図５に示すように、中芯材３の表側の表面を皮革製の表面材１で覆い、中芯材３の裏側の表面を皮革製の裏面材２で覆う。表面材１の端面は、裏面材２を中芯材３に覆ったときに、裏面材２で覆って隠す。
【０００３】
【発明が解決しようとする課題】
しかし、皮革製のバンドにおいては、バンドに立体形状を表そうとしたとき、表したい立体形状の周辺に凹部を設け、この凹部と皮革バンドの表面との段差により、立体形状を表すことしかできず、複雑な立体形状を表すことができない、という問題点があった。
【０００４】
【課題を解決するための手段】
本発明のバンドは、バンドの芯となる中芯材と、前記中芯材の一部を覆う表面母材と、前記中芯材の残りの分を覆う裏面母材と、前記表面母材と前記裏面母材のいずれか一方の表面に任意の立体的形状を有する弾性母材と、を有するしている。
【０００５】
本発明のバンドは、弾性母材が、シリコン、ポリウレタン樹脂及び合成ゴムのいずれか１であるものである。
【０００６】
本発明のバンドは、表面母材及び裏面母材が、天然皮革、合成皮革、不繊布、布地のいずれか１つである。
【０００７】
そして、本発明の時計は、ガラスと、前記ガラスを取付けた胴と、前記胴に取り付けたこれらのバンドの中からいずれか１つのバンドとを有するものである。
【０００８】
【実施の態様】
弾性樹脂を付着させ、任意の立体模様を形成させた素材を用いると、表面材１に代替して用いた場合、図２に示すように、皮革バンド表面に、表面母材１１に対し、表面弾性樹脂模様部１２が隆起した立体模様を表出することができる。
同様に裏面材に代替して用いた場合、図３に示すように、皮革バンド裏面に、裏面母材２１に対し、裏面弾性樹脂模様部２２が隆起した立体模様を表出することができ、裏面弾性樹脂模様部２２の隆起頂点と裏面母材２１の表面に高さＴの通気隙間２３が形成され、腕に携帯した状態において、腕の肌面と裏面母材２１の表面との間に通気隙間２３に大気が流れ、汗抜き作用が生ずる。
【０００９】
【実施例】
（実施例１）
この発明の実施例を図面に基づいて、以下に詳述する。
【００１０】
図１は実施例１におけるバンドの斜視図で、図２は図１におけるＡ−Ａ部の断面を示した断面図である。中芯材２の表側を表面母材１１で覆う。表面母材１１は、任意の染色が可能な合成皮革を使用する。表面母材１１の外側（中芯材と反対側）の面に任意の着色が可能なシリコンを付着させた表面弾性模様部１２を形成する。表面弾性模様部１２に、図１に示すような文字、図形などを立体的な形状としておく。なお、表面弾性模様部１２は、表面母材１１の全体に設けても良いし、その一部分にのみ設けても良い。裏面母材２１も、中芯材３を覆うように取り付ける。このとき、表面母材１１の端部が裏面母材２１で隠れるようにする。これは、「へり返し」と言われる仕立てである。この仕立て以外に、表面母材１１と裏面母材１２を貼り合わせて外周を切断する「ウエルダーカット」や、「切り身」と称される仕立ても可能である。皮革バンドとしての仕立ては従来と同様の仕立てのほとんどの方法が可能で活用できる。
【００１１】
表面母材１１は合成皮革のみならず天然皮革、不繊布、クロス布地を用いることも可能である。表面弾性模様部１２はシリコンのみならず、ポリウレタン樹脂、合成ゴムなどの弾性素材を用いても同様の狙いを実現できる。
【００１２】
（実施例２）
図３は実施例２におけるバンドの断面図である。裏面材２に代替して用いた素材は裏面母材２１に任意の染色が可能な合成皮革を使用する。裏面母材２１の外側（中芯材２とは反対側）の面に任意の着色が可能なシリコンを付着させた表面弾性模様部２２を設ける。裏面母材２１に表面弾性模様部２２を設けて、立体形状を形成することで、バンドを腕などにはめたときに、汗などでバンドと腕が密着することを防ぐことができる。
【００１３】
（実施例３）
図４は実施例３におけるバンドの断面図である。実施例１と実施例２とを組み合わせたものである。表面母材１１に任意の染色が可能な合成皮革を使用して中芯材２を覆う。任意の着色が可能なシリコンを表面母材１１の外側の面に付着させた表面弾性模様部２２を設ける。裏面母材２１に任意の染色が可能な合成皮革を用いて、中芯材２を覆う。任意の着色が可能なシリコンを裏面母材２１の外側の面に付着させた表面弾性模様部２２を設ける。
【００１４】
図示はしていないが、ガラスを内蔵した胴に、実施例１乃至３に記載したバンドをバネ棒で取り付け、時計とすることもできる。
【００１５】
【発明の効果】
本発明のバンド及び時計は、弾性母材を表面母材あるいは裏面母材の表面に形成することで、皮革等の感触や外観を有しながら、文字や模様を立体的に構成することができる。新しいデザインや、肌触り、汗抜き効果などを有する。実施例１乃至３は、自由度の高い色と立体感の意匠要素を実現し、従来の皮革バンドでは得ることのできなかった肌触り、汗抜き効果などを実現し、さらにこれらの効果を複合して実現することができる。
【図面の簡単な説明】
【図１】図１は実施例１におけるバンドの斜視図である。
【図２】図２は図１のＡ−Ａ断面図である。
【図３】図３は実施例２における断面図である。
【図４】図４は実施例３における断面図である。
【図５】図５は従来のバンドにおける断面図である。
【符号の説明】
１　：表面材
２　：裏面材
３　：中芯材
１１：表面母材
１２：表面弾性樹脂模様部
２１：裏面母材
２２：裏面弾性母材模様部
２３：通気隙間
【図１】
2004033342.tif 000003
【図２】
2004033342.tif 000004
【図３】
2004033342.tif 000005
【図４】
2004033342.tif 000006
【図５】
2004033342.tif 000007
(57)【要約】【課題】座高の低い人でも、足の長い背の高い人でも、最適な運転姿勢を取ることができるクッションを提供することを目的とする。【解決手段】全体の略１／２を平坦な厚い部分２とし、残り部分は傾斜させた薄い部分３としたカークッションであり、この厚い分２と薄い部分の前後を入れ替え使用することにより座高の低い人でも、足の長い背の高い人でも、最適な運転姿勢を取ることができる。また、このカークッション１の裏面に面ファスナー４を設けて座席シートからずれないようにした。【選択図】　図１
2004033335.tif 000002
【特許請求の範囲】
【請求項１】
全体の略１／２を平坦な厚い部分（２）とし、残り部分は傾斜させた薄い部分（３）としたカークッション。
【請求項２】
裏面に面ファスナー（４）を設けてなる請求項１記載のカークッション。
【発明の詳細な説明】
【０００１】
【発明の属する分野】
本発明は、乗用車などの座席に載せて用いるクッションに関するものである。
【０００２】
【従来の技術】
乗用車などの座席は、前後の位置や背もたれの角度は変えることができるようにできているが、一部の高級車を除いて高さや形状を変えることはできない。運転者の身長などの体型はさまざまで、座席の高さなどを変えないと、最適な運転姿勢で運転することができない場合がある。
【０００３】
最適な運転姿勢で運転しないと、例えば十分な視界を得られないなどの不具合があったり、無理な姿勢を続ける事になって、非常に疲れることになる。この改善策として、運転者の体型に合ったクッションを使用することが考えられる。
【０００４】
運転者それぞれの体型、座高に合ったクッションを探すというのは必ずしも簡単なことではなく、そのようなものが無い場合は、合うものを自分で作るか、メーカーへオーダーメイドしなくてはならない。
【０００５】
【発明が解決しようとする課題】
座高の低い人でも、足の長い背の高い人でも、最適な運転姿勢を取ることができるクッションを提供することを目的とする。
【０００６】
【課題を解決するための手段】
全体の略１／２を平坦な厚い部分２とし、残り部分は傾斜させた薄い部分３としたカークッションであり、この厚い分２と薄い部分を前後に入れ替え使用することにより座高の低い人でも、足の長い背の高い人でも、最適な運転姿勢を取ることができる。また、このカークッション１の裏面に面ファスナー４を設けて座席シートからずれないようにした。
【０００７】
【発明の実施の形態】
本発明のカークッションは、前部と後部の厚みを変えて運転者が自分の座高に合わせて使用することが出来るようにした。つまり、座高が低い人は厚い部分を後側にして使用すると、座高が高くなって視界が良くなる。座高が低く、足の長い人は薄い部分を後にすると、前に来た厚い部分で太股が持ち上げられて楽な姿勢になる。
【０００８】
【実施例】
図１は、本発明のカークッションの斜視図、図２は座高が低い場合の使用説明図、図３は座高が高い場合の使用説明図である。
【０００９】
本発明のカークッション１は、図１に示すように全体の略１／２は、平坦な厚い部分２であって、残り部分は平坦面の端部から傾斜させた薄い部分３とから成る。そして芯材としてやや硬質のウレタンを用い布製カバーで覆っている。また面ファスナー４をカークッション１の裏面に取り付けてカークッション１が座席シート５からずれないようにしてある。
【００１０】
座高が低い運転者が使用する場合は、図２に示すように平坦な厚い部分２を背もたれ６側に置く。これによってクッションを介して座席が高くなるため、座ったときに臀部が持ち上がり座高が低い人でも視界が広くなる。
【００１１】
背が高くて足が長い人が使用する場合は、図３に示すように厚みがなだらかに薄くなる薄い部分３を背もたれ６側にして、平坦な厚い部分２を前にして置く。この状態で座ると臀部が傾斜面に沿って沈み込み、大腿部が厚い平坦部分２で持ち上がり支えられるのでとても楽である。
【００１２】
また、このカークッション１を使用するときは、カークッション１の裏面に取り付けた面ファスナー４の鈎突子が座席シート５面に絡んでクッション１のずれを防ぐことができる。
【００１３】
【発明の効果】
以上説明したように、本発明のカークッションは、前部と後部の厚みを変えて運転者が自分の座高に合わせて使用することが出来るようにしたから座高の低い人でも、足の長い背の高い人でも、最適な運転姿勢を取ることができるカークッションを提供する。
【図面の簡単な説明】
【図１】本発明のカークッションの斜視図である。
【図２】座高が低い場合の使用説明図である。
【図３】座高が高い場合の使用説明図である。
【符号の説明】
１　　カークッション
２　　厚い部分
３　　薄い部分
４　　面ファスナー
５　　座席シート
６　　背もたれ
【図１】
2004033335.tif 000003
【図２】
2004033335.tif 000004
【図３】
2004033335.tif 000005
(57)【要約】【課題】「消火器」の表示文字がほどよい高さ位置でしかも少し突出した位置で灯りにより浮かび上がるので、側方さらには遠方からでも「消火器」の表示文字がみえ、緊急時の消火器の存在が側方さらには遠方からでも容易に確認できる消火器収納ボックスを得る。【解決手段】筺体１の上部に表示部スペース３を備え、かつこの表示部スペース３の表示面４を筺体前面より少し突出させて表示文字が筺体前面より少し突出した位置で灯り６により浮かび上がるようにしてなる。【選択図】　　　　図３
2004033400.tif 000002
【特許請求の範囲】
【請求項１】
筺体の上部に表示部を備え、かつこの表示部の表示面を筺体前面より少し突出させて表示文字が筺体前面より少し突出した位置で灯りにより浮かび上がるようにしたことを特徴とする消火器収納ボックス。
【請求項２】
灯りは近くに人が居るときにのみ点灯するようにしたことを特徴とする請求項１記載の消火器収納ボックス。
【発明の詳細な説明】
【０００１】
【発明の属する技術分野】
この発明は、消火器を収納する、埋込み，立置き，取付けタイプの消火器収納ボックスに関するものである。
【０００２】
【発明が解決しようとする課題】
従来のこの種の消火器収納ボックスは、筺体の下部に表示部があって、しかもこの表示部の表示面は筺体前面と同一面上にあるので、表示部の灯りで表示面の表示文字を浮かび上がらせても、足元にあることもあって側方からは「消火器」の表示文字がみにくく、緊急時の消火器の存在が側方さらには遠方からは確認しにくくなるという問題点がある。
【０００３】
【課題を解決するための手段】
この発明に係る消火器収納ボックスはかかる問題点を解消するためになされたもので、筺体の上部に表示部を備え、かつこの表示部の表示面を筺体前面より少し突出させて表示文字が筺体前面より少し突出した位置で灯りにより浮かび上がるようにすることにより、「消火器」の表示文字がほどよい高さ位置でしかも少し突出した位置で灯りにより浮かび上がるので、側方さらには遠方からでも「消火器」の表示文字がみえ、緊急時の消火器の存在が側方さらには遠方からでも容易に確認できる。
【０００４】
【発明の実施の形態】
この発明の一実施の形態を図１〜図４について説明する。図１は正面図、図２は図１を上からみた図、図３は図１を縦断して示す概略側面図、図４は図３の灯りの配線図である。
【０００５】
図において、１は埋込みタイプの筐体、２は筐体１の消火器を収納するスペースにある前面扉、３は筺体１の上部にある表示部スペース、４は表示部スペース３の前面にあって凸面状に形成した表示面、５は表示面４に貼り付けた文字「消火器」印刷の半透明フイルム、６は表示部スペース３にある灯りである。
【０００６】
このように表示部スペース３を筺体１の上部に設け、かつその表示面４を筺体前面より少し突出させて表示文字「消火器」が筺体前面より少し突出した位置で灯り６により浮かび上がるようにしておくと、表示文字「消火器」が壁面７のほどよい高さ位置でしかも少し壁面７より突出した位置で灯り６により浮かび上がるので、側方さらには遠方からでも表示文字「消火器」がみえ、緊急時の消火器の存在が側方さらには遠方からでも容易に確認できる。
【０００７】
上記灯り６の配線（その電源構造）を図４に示すようにしておくと、灯り（照明）６は人感知熱線センサー８，デイライトスイッチ９，蓄電池１０により暗くて人が近づいたとき（近くに人が居るとき）にのみ点灯するようになるし、また充電器１１を設けることもできる。
【０００８】
【発明の効果】
以上のように、この発明によれば筺体の上部に表示部を備え、かつこの表示部の表示面を筺体前面より少し突出させて表示文字が筺体前面より少し突出した位置で灯りにより浮かび上がるようにしたので、「消火器」の表示文字がほどよい高さ位置でしかも少し突出した位置で灯りにより浮かび上がり、側方さらには遠方からでも「消火器」の表示文字がみえ、緊急時の消火器の存在が側方さらには遠方からでも容易に確認できるという効果が得られる。
【図面の簡単な説明】
【図１】この発明の一実施の形態を示す正面図である。
【図２】図１を上からみた図である。
【図３】図１を縦断して示す概略側面図である。
【図４】図３の灯りの配線図である。
【符号の説明】
１　筐体
２　前面扉
３　表示部スペース
４　表示面
６　灯り
【図１】
2004033400.tif 000003
【図２】
2004033400.tif 000004
【図３】
2004033400.tif 000005
【図４】
2004033400.tif 000006
(57)【要約】【課題】自爪に対してつけ爪を強固に固定することができると共に、自爪に傷を付けたりつけ爪を破損することなく、つけ爪の取り外しが行なえるつけ爪の取り付け方法を提供する。【解決手段】自爪１に水性タイプの熱可塑性樹脂系塗料３を塗布し、この熱可塑性樹脂系塗料３の乾燥による塗膜の形成後に、上記塗膜の上から瞬間接着剤４で自爪１に対してつけ爪２を接着する。【選択図】　　図２
2004033422.tif 000002
【特許請求の範囲】
【請求項１】
自爪に水性タイプの熱可塑性樹脂系塗料を塗布し、この熱可塑性樹脂系塗料の乾燥後に、熱可塑性樹脂系塗料の上から瞬間接着剤で自爪につけ爪を接着することを特徴とするつけ爪の取り付け方法。
【発明の詳細な説明】
【０００１】
【発明の属する技術分野】
この発明は、つけ爪を自爪に接着するためのつけ爪の取り付け方法に関する。
【０００２】
【従来の技術】
従来、つけ爪（チップ）を自爪に取り付けるには、両面接着剤を用いて取り付けるか、粘着剤を用いて付けるか、強力な瞬間接着剤を用いて取り付ける方法が採用されている。
【０００３】
【発明が解決しようとする課題】
ところで、前者２つの両面接着剤と粘着剤を用いる方法は、接着力が弱いため、つけ爪が物に引っ掛かった場合や軽い水仕事で簡単に剥がれるという問題があり、このため、接着力の強固な後者の瞬間接着剤を用いて取り付ける方法が多く採用されているが、強固な接着力のために、つけ爪の取り外しに対して難点がある。
【０００４】
即ち、自爪は常に成長するので、つけ爪を固定したままでは自爪の成長に弊害を与えることになり、かつ、爪先が不清潔になるので、一定期間の経過後にはつけ爪の取り外しが必要になる。
【０００５】
従来、瞬間接着剤を用いて取り付けたつけ爪を取り外す場合、リムーバー（溶剤、アセトン、ＭＥＫ）を使って剥がすようにしているが、接着力が強固なため、剥がすのに時間がかかり、どうしても剥がす時に引っ張り力を加えるため、自爪に痛みを感じることになり、取り外しに苦痛を伴うと共に、高価なつけ爪に破損を生じさせるという問題がある。
【０００６】
また、自爪に直接瞬間接着剤を塗布するため、つけ爪が剥がれても、自爪を傷めることになり、しかも、リムーバーによる指荒れを生じることになる。
【０００７】
そこで、この発明の課題は、自爪に対してつけ爪を強固に固定することができると共に、自爪に傷を付けたりつけ爪を破損することなく、つけ爪を取り外しを行なうことができるつけ爪の取り付け方法を提供することにある。
【０００８】
【課題を解決するための手段】
上記のような課題を解決するため、請求項１の発明は、自爪に水性タイプの熱可塑性樹脂系塗料を塗布し、この熱可塑性樹脂系塗料の乾燥後に、熱可塑性樹脂系塗料の上から瞬間接着剤で自爪につけ爪を接着する構成を採用したものである。
【０００９】
上記熱可塑性樹脂系塗料は、エチレン酢ビ共重合エマルジョンにポリビニールアルコールを配合して形成され、自爪の表面にマニキュアのように塗布すればよく、乾くとクリアーになり、乾燥したことが確認できる。
【００１０】
この熱可塑性樹脂系塗料で自爪の表面に形成した成膜は、自爪に対する固着性に優れ、その上に瞬間接着剤でつけ爪を接着すると、自爪につけ爪を強固に固定することができ、通常の生活や軽い水仕事でつけ爪が剥がれるようなことはなく、また、上記成膜によって自爪と瞬間接着剤の直接的な接着を防ぐことができる。
【００１１】
上記熱可塑性樹脂系塗料の成膜は、熱可塑性と水性タイプであるので、４２℃〜４３℃の湯中に指先を５分程度浸けると皮膜が軟かくなると共に溶けることになり、自爪に傷をつけずにつけ爪が剥がれることになり、つけ爪の破損もないので再使用も可能になる。
【００１２】
【発明の実施の形態】
以下、この発明の実施の形態を図示例と共に説明する。
【００１３】
図示のように、この発明のつけ爪の取り付け方法は、自爪１につけ爪２を接着するために、先ず、自爪１に水性タイプの熱可塑性樹脂系塗料３を塗布し、次に、この熱可塑性樹脂系塗料３の乾燥後に、熱可塑性樹脂系塗料３の成膜の上から瞬間接着剤４で自爪１につけ爪２を接着する工程を経て実施される。
【００１４】
上記熱可塑性樹脂系塗料３は、自爪１に塗布することにより自爪１の表面に対して強固に固着する成膜を形成すると共に、温水に所定時間だけ浸漬すると軟化し溶けるような特性を有するものであれば、材質は特定されないが、例えば、エチレン酢ビ共重合エマルジョンにポリビニールアルコールを１〜５重量％配合して形成することができ、このような熱可塑性樹脂系塗料３は、自爪１の表面にマニキュアのように塗布して乾くとクリアーになり、乾燥したことが確認できると共に、４２℃〜４３℃の湯中に５分程度浸けると軟化し溶ける程度の水溶性を有している。
【００１５】
自爪１につけ爪２を取り付けるには、図１（Ａ）と（Ｂ）に示すように、自爪１の上面全体に水性タイプの熱可塑性樹脂系塗料３をマニキュアを塗るのと同じ要領で平均した厚みに塗布し、この熱可塑性樹脂系塗料３は、乾くとクリアーな成膜になり、乾燥したことが確認できる。
【００１６】
この後、図２（Ａ）と（Ｂ）に示すように、上記成膜の上に瞬間接着剤４でつけ爪２を接着すれば、自爪１に対してつけ爪２を固定することができ、熱可塑性樹脂系塗料３の成膜は、自爪１に対する固着性に優れ、その上に強力な接着力の瞬間接着剤４でつけ爪２を接着すると、自爪１に対してつけ爪２を強固に固定することができ、これにより、通常の生活や軽い水仕事でつけ爪が剥がれるようなことのない取り付け強度が得られる。
【００１７】
また、つけ爪２を外したい時は、指先を４２℃〜４３℃の湯中に５分程度浸けると、熱可塑性樹脂系塗料３の成膜が軟化して溶けることになり、これにより、自爪１に傷をつけずにつけ爪２を簡単に剥がすことができ、つけ爪２の破損もないので再使用も可能になると共に、リムーバーを使わないので指荒れの発生がない。
【００１８】
【発明の効果】
以上説明したように、この発明によると、水性タイプの熱可塑性樹脂系塗料を自爪に塗布し、この熱可塑性樹脂系塗料が乾燥した成膜後に、この成膜の上から瞬間接着剤で自爪につけ爪を接着するようにしたので、上記成膜は自爪に対する固着性に優れ、その上に強力な接着力の瞬間接着剤でつけ爪を接着するので、自爪につけ爪を強固に固定することができ、通常の生活や軽い水仕事をしても、つけ爪が剥がれるようなことのない取り付け強度が得られる。
【００１９】
また、熱可塑性樹脂系塗料の成膜は、指先を湯中に所定時間だけ浸けると軟化し溶けることになり、つけ爪を自爪に傷をつけずに簡単に剥がすことができ、しかも、つけ爪の破損もないので再使用も可能になり、かつ、取り外しにリムーバーを使わないので指荒れが生じない。
【図面の簡単な説明】
【図１】（Ａ）は自爪に熱可塑性樹脂系塗料を塗布して成膜した状態を示す縦断面図、（Ｂ）は同一部切り欠き平面図
【図２】（Ａ）は自爪に熱可塑性樹脂系塗料の成膜と瞬間接着剤を用いてつけ爪を取り付けた状態を示す縦断面図、（Ｂ）は同一部切り欠き平面図
【符号の説明】
１　　自爪
２　　つけ爪
３　　熱可塑性樹脂系塗料
４　　瞬間接着剤
【図１】
2004033422.tif 000003
【図２】
2004033422.tif 000004
(57)【要約】【課題】本発明は濾過器において濾布に蓄積した濾滓を簡単に剥離除去することを課題とする。【解決手段】缶体２の上端に濾液排出洗浄液注入口１０を設け、下端に濾滓排出口１１を設けかつその側部に被処理液注入口１３を設け、該缶体２上半部２Ａ内側には多孔濾布支持体６を設け、該多孔濾布支持体６の内側には袋状濾布８を配置し、該濾布８の下端開口部の周縁９を該缶体２中間に固定することによって該濾布８を裏返し可能に取付け、濾過工程では被処理液注入口１３から缶体２内に被処理液を注入して濾布８によって濾過を行ない。濾過工程後は濾液排出洗浄液注入口１０から缶体２内に洗浄液を圧入して、その圧入力によって濾布８を下側へ裏返し膨出させ、濾布８に蓄積付着している濾滓Ｃを破砕剥離しかつ洗い落とす。【選択図】　図２
2004033974.tif 000002
【特許請求の範囲】
【請求項１】
缶体の上端に濾液排出洗浄液注入口を設け、下端に濾滓排出口を設けかつその側部に被処理液注入口を設け、該缶体上半部内側には多孔濾布支持体を設け、該多孔濾布支持体の内側には袋状濾布を配置し、該濾布の下端開口部の周縁を該缶体中間に固定することによって該濾布を裏返し可能に取付けたことを特徴とする濾過器
【請求項２】
該缶体は上下二分割可能である請求項１に記載の濾過器
【発明の詳細な説明】
【０００１】
【発明の属する技術分野】
本発明は例えば建設廃土スラリー、メッキ工場廃液処理物、廃液活性汚泥処理工程で排出される余剰汚泥スラリー等の固液分離処理に使用される濾過器に関するものである。
【０００２】
【従来の技術】
従来は、図３に示すように蓋（２２）を被着した缶体（２１）の上端に被処理液注入口（２３）を設け、下端に濾液排出口（２４）を設け、該缶体（２１）内側に多孔濾布支持体（２５）を取付け、更に該多孔濾布支持体（２５）の内側に濾布（２６）を取付けた濾過器（２７）が提供されている。
【０００３】
該濾過器（２７）で固液分離処理を行なうには、上端の被処理液注入口（２３）から被処理液を圧入し、濾布（２６）によって該被処理液の固液分離を行ない、該被処理液中の固体分は濾滓Ｃとして濾布（２６）内に蓄積付着し、濾液は濾布（２６）を通過して濾液排出口（２４）から排出される。
【０００４】
【発明が解決しようとする課題】
上記濾過器（２７）では、濾過後に濾布（２６）を取はずして濾布（２６）内に蓄積された濾滓Ｃを剥離除去するが、上記濾滓Ｃを濾布から取除く作業は非常に手間がかゝるものであった。
【０００５】
【課題を解決するための手段】
本発明は上記従来の課題を解決するための手段として、缶体（２）　の上端に濾液排出洗浄液注入口（１０）を設け、下端に濾滓排出口（１１）を設けかつその側部に被処理液注入口（１３）を設け、該缶体（２）　上半部（２Ａ）内側には多孔濾布支持体（６）　を設け、該多孔濾布支持体（６）　の内側には袋状濾布（８）　を配置し、該濾布（８）　の下端開口部の周縁（９）　を該缶体（２）　中間に固定することによって該濾布（８）　を裏返し可能に取付けた濾過器（１）　を提供するものである。該缶体（２）　は上下二分割可能であることが望ましい。
【０００６】
【作用】
缶体（２）　内に下端の被処理液注入口（１３）から被処理液を圧入する。該濾布（８）　は被処理液の圧入力によって上方へ膨出し、上半部（２Ａ）の多孔濾布支持体（６）　に圧接し、この状態で被処理液は濾布（８）　により濾過され、該被処理液中の固形分は濾滓Ｃとして濾布（８）　の内側に蓄積し、濾液は濾布（８）　外側に通過して濾液排出洗浄液注入口（１０）から排出される。
濾過終了後は該濾液排出洗浄液注入口（１０）から洗浄液を圧入する。濾布（８）　は洗浄液の圧入力によって下半部（２Ｂ）側に裏返し状態で膨出し、この際、濾滓Ｃは自然に濾布（８）　から剥離し、かつ濾布（８）　外側に通過する洗浄液によって押し出され、缶体（２）　の濾滓排出口（１１）から排出される。
【０００７】
【発明の実施の形態】
以下、本発明を詳細に説明する。
本発明を図１および図２に示す一実施例によって説明すれば、濾過器（１）　の缶体（２）　は上半部（２Ａ）と下半部（２Ｂ）とに二分割されており、上半部（２Ａ）と下半部（２Ｂ）とはフランジ（３Ａ，３Ｂ）　を突合わせ、ボルト（４）　とナット（５）　とにより固定されている。
【０００８】
該上半部（２Ａ）の内側にはネット、パンチングメタル等の多孔濾布支持体（６）　が取付けられている。該多孔濾布支持体（６）　は下端フランジ（７）　を缶体（２）　の上半部（２Ａ）と下半部（２Ｂ）のフランジ（３Ａ，３Ｂ）　間に挟持され固定されている。更に該多孔濾布支持体（６）　の内側には袋状の濾布（８）　張設されており、該濾布（８）　の開口部周縁（９）　もまた缶体（２）　の上半部（２Ａ）と下半部（２Ｂ）のフランジ（３Ａ，３Ｂ）　間に挟持され固定されている。
【０００９】
該缶体（２）　の上半部（２Ａ）の上端には濾液排出洗浄液注入口（１０）が設けられ、下半部（２Ｂ）の下端にはバルブ（１２）を付設した濾滓排出口（１１）が設けられ、更にその側部にはバルブ（１４）を付設した被処理液注入口（１３）が設けられている。
【００１０】
上記構成の濾過器（１）　にあっては、バルブ（１４）を開いて被処理液注入口（１３）から缶体（２）　内に被処理液を圧入する。被処理液の圧入は図示しないポンプによって行なわれる。缶体（２）　内において該被処理液は圧入力によって図１に示すように濾布（８）　を上側へ押し上げ膨出させ、多孔濾布支持体（６）　に圧接せしめる。被処理液は該濾布（８）　によって濾過され、該被処理液中に分散している固形分は濾滓Ｃとして濾布（８）　内側に蓄積され、濾液は濾布（８）　を外側に通過して缶体（２）　上端の濾液排出洗浄液注入口（１０）から排出される。
【００１１】
濾過工程終了後は洗浄液（例えば水）を濾液排出洗浄液注入口（１０）から缶体（２）　内に圧入する。図２に示すように該濾布（８）　は該洗浄液の圧入力によって下側へ裏返しになって膨出する。この際の裏返し力によって濾布（８）　の内側に蓄積付着していた濾滓Ｃは破砕剥離され、更に洗浄液が外側へ通過する圧力によって押し流されて除去される。このようにして濾布（８）　から除去された濾滓Ｃはバルブ（１２）を開いて濾滓排出口（１１）から排出する。
【００１２】
【発明の効果】
本発明では缶体から濾布を取出すことなく自然に濾布に蓄積した濾滓を除去することが出来る。
【図面の簡単な説明】
図１および図２は本発明の一実施例を示すものである。
【図１】濾過工程説明断面図
【図２】濾滓除去工程説明断面図
【図３】従来の濾過工程説明断面図
【符号の説明】
１　　　　　　　　　　　濾過器
２　　　　　　　　　　　缶体
２Ａ　　　　　　　　　　　上半部
６　　　　　　　　　　　　多孔濾布支持体
８　　　　　　　　　　　　濾布
９　　　　　　　　　　　　開口部周縁
１０　　　　　　　　　　　濾液排出洗浄液注入口
１１　　　　　　　　　　　濾滓排出口
１３　　　　　　　　　　　被処理液注入口
【図１】
2004033974.tif 000003
【図２】
2004033974.tif 000004
【図３】
2004033974.tif 000005
(57)【要約】【課題】ルアーを使用した魚釣りを行うに際し、魚が障害物周辺に潜んでいることが多いことから、障害物に向けてルアーを投げることがしばしばある。従来のルアーを使用すると必然的にルアーが障害物に引っ掛かり、ルアーを喪失することがあり効率的に釣りをすることが出来ないことが多い。この問題を解決するために、ルアーの釣り針が障害物に引っかかりにくく、ルアーを喪失せずに効率的に釣りが出来るようにすることを課題とする。【解決手段】上記課題を解決するために、請求項１記載のルアーの釣り針をルアーが障害物に引っ掛からない様にする方法を採用したルアーは、ルアーの釣り針を針先がルアーの進行方向と逆方向になるように仮固定する事により、より障害物にルアーの釣り針が引っ掛かる事無く、ルアーの喪失を避け、魚がルアーを咥えた時だけ釣り針の仮固定が外れ、釣り針が引っ掛かる方向になり魚が釣れるという方法を採用したルアーである。【選択図】　　　図１
2004033206.tif 000002
【特許請求の範囲】
【請求項１】
図面の図１に示すようにルアーの釣り針をルアーが障害物に引っ掛からない方向に仮固定する方法を採用したルアー。
【発明の詳細な説明】
【０００１】
【発明の属する技術分野】
本発明は、ルアーの釣り針がより障害物に引っ掛かりにくくし、ルアーの喪失を避けると共に効率的に魚を釣ることが出来る技術に関する。
【０００２】
【従来の技術】
従来の釣り針の取り付け状態では、ルアーを引いてくる際に、釣り針がルアーの本体から離れていること及び、釣り針の方向が原因で、障害物に引っ掛かる事が多い。
【０００３】
【発明が解決しようとする課題】
上記のように、従来の釣り針では障害物に引っ掛かる事が多い状況にあるため、しばしばルアーを喪失し、効率的に釣りをする事が出来なかった。そこで本発明はルアーがより障害物に引っ掛からず、ルアーの喪失を避け、効率的に魚釣りを出来るようにする事を課題とする。
【０００４】
【課題を解決するための手段】
上記課題を解決するために、請求項１記載のルアーの釣り針をルアーが障害物に引っ掛からない様にする方法を採用したルアーは、ルアーの釣り針を針先がルアーの進行方向と逆方向になるように仮固定する事により、より障害物にルアーの釣り針が引っ掛かる事無く、ルアーの喪失を避け、魚がルアーを咥えた時だけ釣り針の仮固定が外れ、釣り針が引っ掛かる方向になり魚が釣れるという方法を採用したルアーである。
【０００５】
【発明の効果】
発明は以上に説明したような構成により次のような効果を奏する。
通常魚は障害物の周りに潜んでいることが多く、その魚を釣るためには障害物にルアーを投げる必要がある。そのため、ルアーの釣り針が障害物に引っ掛かり、しばしばルアーを喪失することが多い。しかし請求項１に記載されているルアーは通常時に、ルアーの釣り針を針先がルアーの進行方向と逆方向に仮固定している為、障害物に引っ掛かりにくく、ルアーの喪失を避けることが出来、また魚がルアーを咥えた時だけ釣り針の仮固定が外れることにより、釣り針が引っ掛かる方向になり、魚を釣ることができる。またルアーが障害物を乗り越える際に、釣り針は本体側へのみ力が加わるため、釣り針の仮固定が外れにくい。反対に魚がルアーを咥えた際には、釣り針が本体と反対方向に力が加わるため、釣り針の仮固定が外れやすい。
【図面の簡単な説明】
【図１】本発明によるルアーの釣り針を仮固定した状態及びルアーの進行方向を示した側面図である。
【図２】本発明によるルアーの釣り針を仮固定した状態及びルアーの進行方向を示した底面図である。
【図３】本発明によるルアーの釣り針の仮固定が外れた状態を示した側面図である。
【符号の説明】
１　ルアー本体
２　釣り針
３　仮固定をする金物
４　ルアーの進行方向
【図１】
2004033206.tif 000003
【図２】
2004033206.tif 000004
【図３】
2004033206.tif 000005
(57)【要約】【課題】家具などへ取付けたさい、その前面に施される模様や彫刻或いは塗装などを傷付けたりせず、該把手金具の存在で違和感を生じさせないようにする把手金具及びこれを取付けた家具の提供。【解決手段】Ｄ字状に形成し、該Ｄ字状の縦軸に対し取付け用板体の片側縁部を回動自在に支承させると共に、該取付け用板体を引き手方向と直交する扉戸の裏面側へ取付けるものとなされることを特徴とする。このさい、２箇の取付け用板体を対合させ、対合面となる片側縁部を相互に交叉する凹凸状の切欠に形成し、これで縦軸の廻りを囲んで回動自在になさしめても良い。【選択図】　　　図５
2004033235.tif 000002
【特許請求の範囲】
【請求項１】
Ｄ字状に形成し、該Ｄ字状の縦軸に対し取付け用板体の片側縁部を回動自在に支承させると共に、該取付け用板体を引き手方向と直交する扉戸の裏面側へ取付けるものとなされることを特徴とする把手金具。
【請求項２】
２箇の取付け用板体を対合させ、対合面となる片側縁部を相互に交叉する凹凸状の切欠に形成し、これで縦軸の廻りを囲んで回動自在になしたことを特徴とする請求項１記載の把手金具。
【請求項３】
請求項１又は２記載の把手金具を、蝶羽根動作で開閉する２箇の扉戸に於ける中央境界部箇所に取付けたことを特徴とする家具。
【発明の詳細な説明】
【０００１】
【発明の属する技術分野】
本発明は収納庫や室内家具類に対し使用勝手の良い把手金具及び該把手金具を取付け使用した家具に関する。
【０００２】
【従来の技術】
収納庫や家具類の把手金具としては、専ら図６Ａ，Ｂに示す如きものが使用されており、即ち図６Ａのものでは、扉戸の表面へ直接にネジ止めするのであり、これに対し図６Ｂは扉戸に差し込み孔を穿設し、該差し込み孔に把手金具の脚部を挿入すると共に、扉戸の裏面側で取付け板を介しこれをナットで止着するのである。
【０００３】
【発明が解決しようとする課題】
上記に於ける把手金具の取付けには図６Ａ，Ｂの何れの場合でも、扉戸の前面側を傷付けるものとなるのであり、特に絵柄や彫刻などの施される家具の場合は、把手金具の存在が違和感を与えるものとなる問題がある。本発明は斯有る問題点を解決せんとするものである。
【０００４】
【課題を解決するための手段】
本発明の把手金具はＤ字状に形成した縦軸に対し取付け用板体の片側縁部を回動自在に支承させると共に、該板体を引き手方向と直交する扉戸の裏面側へ取付けるものとなされることを特徴とする。このさい、取付け用板体は１箇に限らず２箇使用し、即ち両者の対合面をなす片側縁部を相互に交叉する凹凸状の切欠に形成し、これを縦軸の廻りを取り囲んで回動自在に支承させるのであり、このように構成したものでは扉戸の片側縁部と凡そ同一線上に把手部分を位置させて、扉戸を引張ることが可能となるため把手金具が扉戸前面の模様や彫刻などに何ら影響を及ぼさないものとなるのである。
【０００５】
【発明の実施の形態】
図１は本発明に係る把手金具１の斜視図であって、１ａはＤ字状の把手部、１ｂは縦軸、１ｃは取付け用板体である。ここに取付け用板体１ｃは片側縁部に軸承部１ｄで把手部１ａの縦軸１ｂに対し回動可能に支承される。２ａ，２ｂ，２ｃ・・・は使用にさいし、取付け用板体１ｃを開閉せんとする扉戸の裏面側へ取付けるべく穿設したビス金具用の透孔である。
【０００６】
上記は１箇の取付け用板体１ｃを縦軸１ｂに対して回動自在に取付けたものを示したが、図２の把手金具１’は２箇の取付け用板体１’ｃ，１’ｃを使用したものであり、即ち本例では２箇の取付け板体１’ｃ，１’ｃの対合面となる片側縁部の軸障部１’ｄを相互に交叉する凹凸状の切欠に形成し、これで縦軸１’ｂの廻りに夫々れを回動自在になさしめてある。このさい２’ａ，２’ｂ，２’ｃ・・・は前例同様に使用にさいし各取付け用板体１’ｃ，１’ｃを開閉せんとする扉戸の裏面側へ取付けるべく穿設したビス止め用の透孔である。
【０００７】
図３は上記で説明した把手金具１，１’を取付けた家具の使用例である。家具はクローゼット３であって、６枚の扉戸４は２箇ずつが夫々れ左右対称の対をなし、且つ図示しない上下部のガイドレールに案内される蝶羽根動作で開閉操作が行われるのであり、このさい把手金具１及び又は１’が対をなす開閉扉の対合面の側縁部に取付けたものとなしてある。
【０００８】
図４は図３の一点鎖線部分の背面図であって、５は止めネジである。
【０００９】
図５は上記の各把手金具１，１’を手前に引いてクローゼット３の内面を開放して示すものである。本発明で２箇の取付け用板体を有する把手金具１’を使用するものでは、各取付け用板体１’ｃ，１’ｃを各扉戸４，４の裏面側へ夫々れビスネジ５で直接取付けしめるものであるが、把手金具１を使用するものでは扉戸４，４の上下箇所を予め市販の蝶番を使用して連結させておき、然るのち中央部に把手金具１を取付けるようになすのであり、このさいその取付け用板体１ｃは左右何れかの扉戸４の裏面部へ固定させるのである。
【００１０】
【発明の効果】
本発明は以上の通り構成するものであって、本発明に係る把手金具１，１’は扉戸の片側縁部に対し、その把手部を該縁部とほぼ同一線上となるように取付けることを可能とするのであり、従って本発明に係る把手部は扉戸の左右何れかの側縁部箇所に位置し、その前面部全体を避けることができるため、従来品のものに於ける使用の如く扉戸に施される模様や彫刻或いは塗装などを一切傷付けたり、或いはその存在で違和感を生じさせたりすることのないものとなり、商品価値の向上に寄与せしめることができる。
なお、本発明に係る把手金具は把手部を矢印イ、ロの如く手前へ引張る場合はその力と同一方向へ、又押し戻すさいにも全て同一方向となるようにできるので開閉操作が容易且つ迅速に行えるものとなる上で著効を奏する。
【図面の簡単な説明】
【図１】本発明に係る把手金具の斜視図である。
【図２】把手金具の他の例を示す斜視図である。
【図３】上記把手金具を取付けたクローゼットの正面図である。
【図４】図３の一点鎖線部分の背面図である。
【図５】上記クローゼットの開閉扉を開放した正面図である。
【図６】従来品の把手金具を示すものである。
【符号の説明】
１，１’　　　把手金具
１ａ，１’ａ　　把手部
１ｂ，１’ｂ　　縦軸
１ｃ，１’ｃ　　取付け用板体
１ｄ，１’ｄ　　軸承部
２　　　ビス孔
３　　　クローゼット
４　　　扉戸
【図１】
2004033235.tif 000003
【図２】
2004033235.tif 000004
【図３】
2004033235.tif 000005
【図４】
2004033235.tif 000006
【図５】
2004033235.tif 000007
【図６】
2004033235.tif 000008